(57)【要約】【目的】一つの巻芯を用いて様々な幅の帯状部材を強固にロール巻にすることのできる巻取装置を提供する。【構成】リール３と、このリールを回転可能に保持するフレーム１とを備えた巻取装置である。リール３は、回転軸４の両側に相対向して間隔調整可能に設けられる一対の側枠５Ａ，５Ｂを有し、その一方５Ｂが回転軸４に対して着脱自在とされる。回転軸４の周囲には両側枠５Ａ，５Ｂの間でテーパ状の巻芯１０が設けられる。巻芯１０は回転軸４方向に伸縮する円錐コイルバネで成る。これによれば、帯状部材Ｗの幅によって両側枠５Ａ，５Ｂの間隔を調整しながら、巻芯１０を伸縮せしめてその長さを帯状部材Ｗの幅に合わせることができる。そして、様々な幅の帯状部材Ｗを巻芯１０の外周に体裁良く奇麗なロール状に巻き取り、その後で帯状部材Ｗをロール状に保ったまま、その中心から巻芯１０を容易に抜き取ることができる。【選択図】　図１
2004043137.tif 000002
【特許請求の範囲】
【請求項１】
帯状部材を巻き取るためのリールと、このリールを回転可能に保持するフレームとを備えて成る巻取装置において、前記リールは回転軸の両側に相対向して間隔調整可能に設けられる左右一対の側枠を有し、その両側枠の少なくとも一方が前記回転軸に対して着脱自在とされると共に、前記回転軸の周囲には両側枠の間でテーパ状の巻芯が設けられることを特徴とする巻取装置。
【請求項２】
テーパ状を成す巻芯が、両側枠の間隔に合わせて回転軸方向に伸縮する弾性部材から成る請求項１記載の巻取装置。
【請求項３】
テーパ状を成す巻芯が、帯状部材の一端を係止するべく回転軸の周囲に設けられる複数の固定ピンにて形成される請求項１記載の巻取装置。
【請求項４】
リールの回転を一方向にのみ許容する逆転防止手段を備えた請求項１〜３の何れかに記載の巻取装置。
【発明の詳細な説明】
【０００１】
【発明の属する技術分野】
本発明は偏平なホースなどを巻き取るのに用いられる巻取装置に係わり、特にホースその他の帯状部材をロール状に巻いたり、ロール状に巻き取った帯状部材を伸展するのに用いて好適な巻取装置に関する。
【０００２】
【従来の技術】
従来、灌水用のホースや消防用のホースなどをロール状に巻き取る装置として、図１０〜図１２に示すような種々のホースリールが知られる。図１０〜図１２において、Ｆは金属パイプを結合するなどして成るフレーム、Ｒはそのフレームに設けられる回転軸、Ｈは回転軸に取り付けられる回転操作用のハンドルであり、回転軸Ｒには円形の側枠Ｃが固定され、その側枠Ｃには回転軸Ｒに平行してピンＰが取り付けられる。これによれば、帯状と成した偏平なホースＴの一端を回転軸ＲとピンＰとの間に挟み込み、その状態でハンドルＨを回転操作することにより、長尺なホースＴを回転軸Ｒの回りロール状に巻き取ることができ、しかも巻き取ったホースＴを回転軸Ｒから引き取って保管することができる。
【０００３】
ところが、図１０に示すようなホースリールでは、使用に際してホースＴの軌道が左右に振れるため、これを体裁良く奇麗なロール状に巻き取ることは甚だ困難である。
【０００４】
これに対し、図１１のホースリールでは、フレームＦにホースを通すガイドローラＧが設けられるほか、回転軸Ｒの先端部に側枠Ｃと対向する別の側枠Ｃ′が設けられる。これによれば、ホースＴを巻き取った後、側枠Ｃ′を回転軸Ｒから離脱し、その状態でロール状のホースＴを回転軸Ｒから引き取ることができ、特にガイドローラＧと一対の側枠Ｃ，Ｃ′の働きによってホースＴを奇麗なロール状に体裁良く巻き取ることができる。
【０００５】
然し、この種のホースリールも図１０に示した装置と同じく、ホースＴを強固に巻き取った場合に該ホースを回転軸Ｒから外せなくなり、これを無理矢理に引き取ろうとすると該ホースが筍状に伸びて解れてしまうという難点があった。又、ホースＴを緩く巻き取った場合には、これをロール状に保つことが難しく、しかもその直径が大きくなるために保管に際して場所を取るなどの難点があった。
【０００６】
そこで、図１２に示すホースリールでは上記のような構成に加え、回転軸Ｒの周囲にピンＰを円形状に配列し、その各ピンＰの外側にホースＴの一端部を差し込み得るスリット付きの円筒形の硬質巻芯Ｄを装着するようにしている。そして、この種のホースリールによれば、ハンドルＨの回転操作により巻芯Ｄの外周にホースＴをロール状に巻き取った後、側枠Ｃ′を回転軸Ｒから取り外し、而してホースＴを硬質巻芯Ｄに巻き付けた状態のまま回転軸Ｒ上から容易に引き取ることができる。
【０００７】
【発明が解決しようとする課題】
然し乍ら、上記のような円形の硬質巻芯を利用するホースリールによれば、両側枠の間隔が巻芯の長さに制限されるので、帯状部材の幅によって其の都度巻芯を対応する長さのものに付け替える必要があり、しかも円形硬質巻芯の外周にホースが巻き付けられた状態のままなので、巻き取るべきホースの本数に応じて多数の巻芯を準備しなければならない。尚、この従来装置では巻芯をロールから離脱させることはできず、無理矢理に離脱しようとすると他の従来装置と同じくホースのロールが筍状に伸びて解れることになる。
【０００８】
本発明は以上のような事情に鑑みて成されたものであり、その目的は一つの巻芯を用いて様々な幅の帯状部材を強固に体裁良くロール巻できるようにすることにある。
【０００９】
【課題を解決するための手段】
本発明は上記目的を達成するため、帯状部材を巻き取るためのリールと、このリールを回転可能に保持するフレームとを備えて成る巻取装置において、前記リールは回転軸の両側に相対向して間隔調整可能に設けられる左右一対の側枠を有し、その両側枠の少なくとも一方が前記回転軸に対して着脱自在とされると共に、前記回転軸の周囲には両側枠の間でテーパ状の巻芯が設けられることを特徴とする巻取装置を提供する。
【００１０】
又、本発明は上記のような巻取装置において、テーパ状を成す巻芯が、両側枠の間隔に合わせて回転軸方向に伸縮する弾性部材から成るか、若しくは帯状部材の一端を係止するべく回転軸の周囲に設けられる複数の固定ピンにて形成されることを特徴とし、更にリールの回転を一方向にのみ許容する逆転防止手段を備えたことを特徴とする。
【００１１】
【発明の実施の形態】
以下、本発明の適用例を図面に基づいて詳細に説明する。図１は本発明に係る巻取装置の好適な態様を示した斜視分解図、図２は同巻取装置の正面概略図であり、図３には図２におけるＸ−Ｘ線断面を示す。これらの図において、１はアルミ製のパイプを溶接するなどして構成されるフレームであり、その上部には丸パイプをＵ字形に湾曲せしめて成る持ち運び用の把手２が設けられる。
【００１２】
３はフレームにより回転可能に保持されるリールであり、このリール３は一端がフレーム１に接続して水平状に保持される回転軸４と、この回転軸上にあってその両側に相対向して設けられる左右一対の側枠５Ａ，５Ｂとで構成される。このうち、回転軸４は一端を自由端として他の一端がフレーム１の上部に取り付けた軸受ユニット６にて回転自在に支持され、その自由端側の外周部には所定の長さに亙って平滑面４Ａが形成される。
【００１３】
一方、左右一対の側枠５Ａ，５Ｂは、回転軸４を通すハブ７、このハブを中心にして放射状に広がるアーム８、及びそのアームを介してハブに結合される円環状のリム９とで構成される。そして、その両側枠５Ａ，５Ｂはテーパ状の巻芯１０を挟んで回転軸４上に相対向して設けられる。このうち、回転軸４の固定端側に設けられる側枠５Ａには、帯状部材Ｗの一端を係止すべき固定ピン１１が取り付けられる。その固定ピン１１は、図４に示すよう巻芯１０の外側で回転軸４に隣接されるが、これは回転軸４に対して平行に設けられるのでなく、巻芯１０に沿って傾斜状に立てられ、その先端が固定端よりも回転軸４に近接するようにしてある。
【００１４】
又、巻芯１０は、回転軸４方向に伸縮する弾性部材（本例において円錐コイルバネ）で成り、これは小径側を可動側（回転軸４の自由端側）の側枠５Ｂに向けて両側枠５Ａ，５Ｂの間で回転軸４の外周部に設けられ、その両端が自己の弾性によって両側枠５Ａ，５Ｂの内面に密着するようになっている。尚、巻芯１０はその弾性により両側枠５Ａ，５Ｂに固定されるが、巻芯１０の一端を側枠５Ａに固定してその空転を防止するようにしても良い。又、巻芯１０の向きに制限はなく、その小径側を側枠５Ａに向けても良い。
【００１５】
ここに、一方の側枠５Ａは回転軸４の固定端側で該回転軸の外周定位置に固着されると共に、他方の側枠５Ｂは同回転軸４の自由端側でその軸方向に摺動可能とされる。尚、両側枠５Ａ，５Ｂを近接させたときにはその間隔に合わせて巻芯１０が縮小し、両側枠５Ａ，５Ｂを離間したときにはその間隔を埋めるべく巻芯１０が伸長する。よって、側枠５Ｂを回転軸４方向へ移動させることにより、巻芯１０の圧縮長さを最小限界幅として両側枠５Ａ，５Ｂの間隔を調整することができる（実際には両側枠５Ａ，５Ｂの間隔は固定ピン１１の長さが最小限界である）。
【００１６】
１２は可動側の側枠５Ｂを回転軸４上に固定するロック手段としての固定ネジであり、この固定ネジ１２は回転軸４に直交するようにして側枠５Ｂのハブ７に取り付けられ、その先端を平滑面４Ａの位置で回転軸４に圧着させ得るようにしてある。そして、固定ネジ１２を緩めたときには側枠５Ｂが回転軸４方向へ摺動し、必要に応じて該側枠５Ｂを回転軸４から離脱させ得るようになっている。又、固定ネジ１２を締め付けたときには回転軸４に側枠５Ｂを固定し、その状態でリール３を回転させつつ両側枠５Ａ，５Ｂの相互間で巻芯１０に巻取対象としての帯状部材Ｗ（偏平と成したサニーホースや消防ホースといったホース類）を巻き取り得るようにしてある。
【００１７】
尚、巻芯１０の一端を側枠５Ａに固定した場合には、両側枠５Ａ，５Ｂの間隔を巻芯１０の長さより大きく設定して巻芯１０の空転を防止しながらその回りに帯状部材Ｗを巻き付けることができる。１３はリール３を回転させるためのハンドルであり、このハンドル１３は回転軸４から離間する位置で側枠５Ｂのアーム８に直角に取り付けられる。因に、側枠５Ｂにハンドル１３を設けず、クランク状のハンドルを回転軸４の一端に直結したり、又は側枠５Ａ，５Ｂのリム９をハンドルとして利用するなどしても良い。
【００１８】
又、１４はリールの回転方向を一方向にのみ許容する逆転防止手段であり、これは文字通りリール３の逆転を防止し、帯状部材Ｗの巻取中の弛みやその巻方向を揃える働きをする。図５から明らかなように、本例ではその逆転防止手段１４として、ラチェットホイール１５及び該ラチェットホイールに係合する爪１６が用いられる。ラチェットホイール１５はリール３と軸受ユニット６との間で回転軸４に固定され、爪１６はフレーム１に固定したブラケット１７に揺動自在に取り付けられてその先端がラチェットホイール１５の外周部に掛けられるようになっている。
【００１９】
尚、爪１６を図５の矢印方向に旋回させたときには、リール３の回転方向の規制を解除してこれを左右何れの方向にも回転させることができる。又、図１及び図２において、１８はリールに巻き取るべき帯状部材を通す中継用のガイドローラであり、このガイドローラ１８は両側枠５Ａ，５Ｂに隣接する状態でフレーム１の側面部分に二つ並列にして回転自在に設けられる。
【００２０】
ここで、以上のように構成される巻取装置の作用を説明する。先ず、帯状部材Ｗを巻き取るには、側枠５Ｂのハブ７を回転軸４の外周に嵌め、次いでその側枠５Ｂを回転軸４方向に摺動させながら両側枠５Ａ，５Ｂの間隔を帯状部材Ｗの幅に合わせ、而して固定ネジ１２を締め付けて側枠５Ｂを回転軸４に固定する。その後、帯状部材Ｗをガイドローラ１８の間に通して該帯状部材の一端を固定ピン１１に係止し、その状態でハンドル１３の操作を行ってリール３を所定方向に回転させる。すると、帯状部材Ｗは図２に示されるようガイドローラ１８を通じてリール３側に繰り込まれ、両側枠５Ａ，５Ｂの間で巻芯１０の回りに順次ロール状に巻き取られる。
【００２１】
斯くて、帯状部材Ｗを巻終えたら、固定ネジ１２を緩めて側枠５Ｂを手前に引き、これを回転軸４から離脱する。側枠５Ｂを回転軸４から離脱させると、これによって圧縮されていた巻芯１０が伸長状態に復元し、その復原力により帯状部材Ｗのロールが回転軸４の先端側へ押し出される。そして、このとき巻芯１０がテーパ状であること、並びに固定ピン１１が巻芯１０に沿って傾斜状に取り付けられていることから、帯状部材Ｗだけをロール状のまま回転軸４から容易に離脱せしめることができる。
【００２２】
一方、ロール状に巻かれた帯状部材Ｗを伸展する場合には、回転軸４から巻芯１０を外して帯状部材Ｗのロールと側枠５Ｂとを回転軸４に装着すると共に、ラチェットホイール１５から爪１６を外してリール３の逆転を許容する。そして、その状態で帯状部材Ｗの一端を引っ張れば、リール３が回転しつつ帯状部材Ｗの繰り出しが行われる。
【００２３】
このように、係る巻取装置によれば、ホースなどの帯状部材Ｗをロール状に巻き取って、そのロールだけを回転軸４から取り外して保管できるほか、帯状部材Ｗのロールを使用に際して容易に伸展させることもできる。
【００２４】
以上、本発明の好適な一例を説明したが、係る巻取装置は上記例に限らず、図６のような構成でも良い。ここに、図６ではリール３の回転軸４をスリーブ状とし、その回転軸４がフレーム１に固定した水平な支軸１９の外周面に回転自在にして嵌合するよう構成される。尚、本例においても回転軸４上にテーパ状の巻芯１０を挟んで一対の側枠５Ａ，５Ｂが間隔調整可能に設けられ、その一方５Ｂが回転軸４から離脱可能とされている。
【００２５】
又、上記各例では一方の側枠５Ｂだけを回転軸４から離脱させ得るようにしたが、回転軸４に対して両側枠５Ａ，５Ｂを着脱自在としても良い。更に、上記例では巻芯１０として素線の断面形状が円形の円錐コイルバネを用いたが、これに代えて素線の断面形状が方形な竹の子バネを用いるほか、これにゴムバネ若しくは非変形の硬質材を用いるなどしても良い。
【００２６】
図７は、巻芯にプラスチックなどから成る中空テーパ状の硬質材を用いた例である。ここで、この巻芯２０は回転軸４にネジ留めされるか、又は回転軸４に一体に形成され、可動側の側枠５Ｂには巻芯２０の外周上で側枠５Ａとの間隔を調整可能にすべく、そのハブ７に巻芯２０を導入するための差込口２１が形成される。そして、図７のような巻取装置でも帯状部材の幅に合わせて両側枠５Ａ，５Ｂの間隔を調整しながら、ロール状に巻かれた帯状部材の中心から回転軸４及び巻芯２０を容易に抜き取ることができる。
【００２７】
又、図８は帯状部材の一端を係止するための固定ピン１１によりテーパ状の巻芯３０を形成した例である。本例において、各固定ピン１１は回転軸４の周囲で固定側の側枠５Ａに取り付けられ、その各先端が固定端よりも回転軸４に近接するよう全体として可動側の側枠５Ｂに向かって直径が漸次小さくなるテーパ状に配列される。又、可動側の側枠５Ｂのアーム８には各固定ピン１１を通す長孔２２が穿設され、その長孔２２に固定ピン１１を通すことにより回転軸４の全長に亙って両側枠５Ａ，５Ｂの間隔が調整可能とされる。尚、アームに長孔２２を形成せず、各固定ピン１１がアーム８の間を通して側枠５Ｂを貫通するようにしてもよい。又、本例では４つの固定ピン１１によりテーパ状の巻芯３０を形成したが、固定ピン１１による巻芯３０の形成には少なくとも２つの固定ピン１１があれば足りる。因に、２つの固定ピン１１で巻芯３０を形成する場合には、その双方が回転軸４を挟んで向かい合うように設けられる。そして、本例においても固定ピン１１の何れか一つに帯状部材の一端を係止して、これを巻芯３０の回りに巻き取った後、そのロールを巻芯３０から容易に離脱せしめることができる。
【００２８】
一方、図８の変形例として、図９のように両側枠５Ａ，５Ｂの間で回転軸４の周囲に２つの巻芯３０，３０を形成してもよい。尚、それら巻芯３０，３０も図８に示した例と同じく複数の固定ピン１１にて形成され、それら固定ピン１１は回転軸４の周囲で夫れ夫れ両側枠５Ａ，５Ｂに固定される。特に、それら固定ピン１１にて形成される両巻芯３０，３０は、互いに固定端側の径が同じに設定されると共に、その先端側の径が他方に向かって漸次小さくなるよう設定される。そして、本例によれば、側枠５Ｂを回転軸４に装着するに際し、巻芯３０，３０同士の固定ピン１１が互いに干渉せぬよう固定ピン１１の取付位置を回転軸４回りにずらし、その状態で両側枠５Ａ，５Ｂの間隔調整を行うことができる。しかも、帯状部材の幅に合わせて両側枠５Ａ，５Ｂの間隔を広くし、これによって巻芯３０，３０の相互間に隙間が生じても、双方の巻芯３０，３０を跨いでそれらの外周に帯状部材を同心状に巻き取ることができる。
【００２９】
最後に、係る巻取装置はホースリールとしての用途だけでなく、帯状部材として帯布や紙テープなどの巻き取り／繰り出しに利用できること勿論である。
【００３０】
【発明の効果】
以上の説明で明らかなように、本発明によればテーパ状を成す巻芯の外周に帯状部材を巻き付けるようにしていることから、帯状部材を強固に巻き取っても、帯状部材をロール状に保ったまま、その中心から巻芯を容易に抜き取ることができる。このため、多数の帯状部材をロール巻にする場合でも一つの巻芯を繰り返して使用でき、これを多数取り揃えることによる経費負担や管理負担を大幅に軽減できる。
【００３１】
特に、巻芯が回転軸方向に伸縮する円錐コイルバネその他の弾性部材から成るため、帯状部材の幅に対応して巻芯の長さや両側枠の間隔を変え、その状態で巻芯の外周に帯状部材を体裁良く奇麗なロール状に巻き付けることができる。
【００３２】
又、テーパ状の巻芯が複数の固定ピンにより形成されることから、帯状部材を強固に巻き取った場合でも、その巻付力による巻芯の変形がなく、帯状部材のロールの離脱を容易に行い得る。
【００３３】
更に、リールの回転を一方向にのみ許容する逆転防止手段を備えていることから、帯状部材の巻方向を揃えることができ、しかもこれを弛み無く強固に巻き取ることができる。
【図面の簡単な説明】
【図１】本発明に係る巻取装置を示した斜視分解図
【図２】同巻取装置の正面概略図
【図３】図２におけるＸ−Ｘ線断面図
【図４】本発明に係る巻取装置の部分拡大図
【図５】逆転防止手段の構成例を示した説明図
【図６】本発明に係る巻取装置の他の実施形態を示した側面概略図
【図７】本発明に係る巻取装置の他の実施形態を示した部分拡大断面図
【図８】本発明に係る巻取装置の他の実施形態を示した斜視図
【図９】（Ａ）は本発明に係る巻取装置の他の実施形態を示した側面概略図、（Ｂ）は同巻取装置を部分的に破断して示した平面概略図
【図１０】従来装置の側面概略図
【図１１】他の従来装置を示す側面概略図
【図１２】他の従来装置を示す側面概略図
【符号の説明】
１　フレーム
３　リール
４　回転軸
５Ａ，５Ｂ　側枠
１０，２０，３０　巻芯
１１　固定ピン
１２　固定ネジ
１３　ハンドル
１４　逆転防止手段
１８　ガイドローラ
【図１】
2004043137.tif 000003
【図２】
2004043137.tif 000004
【図３】
2004043137.tif 000005
【図４】
2004043137.tif 000006
【図５】
2004043137.tif 000007
【図６】
2004043137.tif 000008
【図７】
2004043137.tif 000009
【図８】
2004043137.tif 000010
【図９】
2004043137.tif 000011
【図１０】
2004043137.tif 000012
【図１１】
2004043137.tif 000013
【図１２】
2004043137.tif 000014